(57)【要約】【課題】  睫毛の少ない人でもボリューム感やインパクトのある睫毛パーマの施術を行えるようにする。【解決手段】    睫毛Ｅの生え際に沿って瞼に睫毛Ｅを巻き上げるためのロッド１を糊付けし、複数本の睫毛Ｅを束ねて睫毛全体を複数の束Ｂにし、ロッド１表面に糊付けした後、各睫毛束Ｂをロッド１表面に巻き付け、巻き付けた睫毛束Ｂにコールドパーマの第１液を塗布して所定時間放置し、上記第１液を、ロッド１表面に押し付けるように睫毛Ｅの上から拭き取り、上記巻き付けた睫毛束Ｂにコールドパーマの第２液を塗布して所定時間放置し、上記第２液を、ロッド１表面に押し付けるように睫毛の上から拭き取り、上記ロッド１を睫毛Ｅ及び瞼から取り除く。【選択図】  図１
2005237628.tif 000002
【特許請求の範囲】
【請求項１】
睫毛の生え際に沿って瞼に睫毛を巻き上げるためのロッドを糊付けする第１の工程と、
睫毛に糊付けした後に複数本の睫毛を束ねて睫毛全体を複数の束にする第２の工程と、
ロッド表面に糊付けする第３の工程と、
上記の各睫毛束をロッド表面に巻き付ける第４の工程と、
上記巻き付けた睫毛束にコールドパーマの第１液を塗布して所定時間放置する第５の工程と、
上記第１液を、ロッド表面に押し付けるように睫毛の上から拭き取る第６の工程と、
上記巻き付けた睫毛束にコールドパーマの第２液を塗布して所定時間放置する第７の工程と、
上記第２液を、ロッド表面に押し付けるように睫毛の上から拭き取る第８の工程と、
上記ロッドを睫毛及び瞼から取り除く第９の工程と、
を備える睫毛パーマ施術方法。
【請求項２】
請求項１に記載の方法において、第８の工程と第９の工程との間に、睫毛及び／又は瞼に付着した糊を溶解する溶解液を塗布する第１０の工程を有する、睫毛パーマ施術方法。
【発明の詳細な説明】
【技術分野】
【０００１】
本発明は、睫毛の少ない人でもボリューム感を持たせることができる睫毛パーマ施術方法に関する。
【背景技術】
【０００２】
従来より、睫毛カール器や睫毛パーマ方法は種々知られているが、実際にこれらを使用しているのは睫毛の本数の多い人が圧倒的多数を占め、睫毛の少ない人の場合はカールやパーマをかけても外観が差ほど変わらないばかりか、処置を間違えば美観を損なう場合もあった。
【発明の開示】
【発明が解決しようとする課題】
【０００３】
本発明は、睫毛が少ない人でも、ボリューム感やインパクトのある睫毛となるようにすることのできる睫毛パーマ施術方法を提供することを目的とする。
【課題を解決するための手段】
【０００４】
本願発明者は、従来の睫毛カールやパーマ方法は、睫毛全体を均一にばらして施術することに起因して睫毛の薄い人に適さないことを見出し、本発明の着想に至ったものである。
【０００５】
本発明は、睫毛の生え際に沿って瞼に睫毛を巻き上げるためのロッドを糊付けする第１の工程と、睫毛に糊付けした後に複数本の睫毛を束ねて睫毛全体を複数の束にする第２の工程と、ロッド表面に糊付けする第３の工程と、上記の各睫毛束をロッド表面に巻き付ける第４の工程と、上記巻き付けた睫毛束にコールドパーマの第１液を塗布して所定時間放置する第５の工程と、上記第１液を、ロッド表面に押し付けるように睫毛の上から拭き取る第６の工程と、上記巻き付けた睫毛束にコールドパーマの第２液を塗布して所定時間放置する第７の工程と、上記第２液を、ロッド表面に押し付けるように睫毛の上から拭き取る第８の工程と、上記ロッドを睫毛及び瞼から取り除く第９の工程と、を備える睫毛パーマ施術方法である。
【０００６】
かかる本発明によれば、複数本の睫毛を束ねた状態でロッド表面に巻き付け、コールドパーマを施術するので、その束の一つ一つが太く見えて全体としてメリハリが付き、睫毛本数の少ない人でもボリューム感のある睫毛となる。また、第４の工程では、ロッド表面に糊を塗布したところに睫毛束を巻き付けていくので、この際には睫毛束に塗布した糊はある程度乾いており、該睫毛束をピンセットなどを使って正確に巻き上げ、美観に優れた施術を容易に行うことができる。また、第６及び第８の工程では、睫毛束がロッド表面に糊付けされた状態でその上から綿棒などを使って睫毛束に塗布されたパーマ液を拭き取るので、睫毛束の形を崩すことなく容易かつ迅速にパーマ液を除去することができる。
【０００７】
上記本発明方法において、第８の工程と第９の工程との間に、睫毛及び／又は瞼に付着した糊を溶解する溶解液を塗布する第１０の工程を有することができる。これによれば、パーマ施術時に形崩れを防止できる程度の接着力の糊を使用しつつも、ロッドの除去前に糊を溶解させることで、睫毛の抜けを防止できるとともに、ロッドを瞼から自然に外れるようにすることができる。
【発明の効果】
【０００８】
本発明によれば、睫毛本数の少ない人でも、ボリューム感やインパクトのある睫毛パーマを施術することができる。
【発明を実施するための最良の形態】
【０００９】
以下の実施例では、睫毛のカール形状を規定するためのロッド１、糊、コールドパーマ液、クレンザー液（溶解液）、水、ロッドをカットするためのはさみ、睫毛を束にするためのピンセット、睫毛をロッドに巻き付けるためのピンセット、綿棒並びにコットンを使用している。
【００１０】
上記ロッド１は、筒状の市販のゴムチューブを径方向に２つに切断してなる半円筒形のものであり、睫毛パーマを施術する人の目の大きさや睫毛の生えぎわの長さに合わせてはさみで切断して使用する。また、ロッドの半径の異なるものを複数用意しておき、施術する人の目の大きさ、睫毛の長さ、仕上がり形状の希望などに応じて適宜選択して使用する。
【００１１】
糊は、特に特定のものに限定されるものではないが、例えば、イミュ株式会社が販売する「オペラアイプチＳ」を使用することができる。
【００１２】
コールドパーマ液は、第１液と第２液からなる医薬部外品であって、第１液は還元剤で、チオグリコール酸塩などのアルカリ性の液体を使用することができ、第２液は酸化剤で、ブロム酸ナトリウムなどの酸性の液体を使用することができる。例えば、第１液は、主成分としてチオグリコール酸またはその塩(1〜14%含有)、アルカリ化剤としてアンモニア水(25%液2〜9%含有)、モノエタノールアミン(4〜14%含有)、アンモニウム塩などを含み、pH9〜10のものとすることができる。また、第２液は、主成分として臭素酸ナトリウム(6〜10%含有)、または臭素酸カリウム(2〜5%含有)を含むものを使用することができる。
【００１３】
クレンザー液は、上記糊を溶解させるもの、即ち、上記糊の溶媒を含むものを使用することができる。
【００１４】
以下、図面に基づいて睫毛パーマ施術方法の一実施例を説明する。
【００１５】
図１は、睫毛Ｅの生え際に沿って瞼に睫毛Ｅを巻き上げるためのロッド１を糊付けする第１の工程を示す。この工程では、睫毛Ｅの生え際にロッド１の幅に合わせて糊を付けるとともに、ロッド１が肌に接着する部分、すなわち、断面半円径ロッド１の幅方向両側縁の切断面付近に糊付けして、該ロッド１を瞼に接着する。
【００１６】
図２は、刷毛などを使用して睫毛Ｅに糊付けした後に複数本の睫毛Ｅを束ねて睫毛全体を複数の束Ｂにする第２の工程を示す。具体的には、施術する人の目の大きさや睫毛全体の本数などに応じて２〜１０本の睫毛をピンセットで束にしていく。この工程は、糊が乾燥するまでに迅速に行っていくことが望ましい。
【００１７】
次に、ロッド１の表面に糊付けした後（第３の工程）、図３に示すように各睫毛束Ｂをロッド１表面に巻き付けていく（第４の工程）。この作業は、ピンセット２等を使用して一束一束丁寧に仕上がりのカール形状を考慮しつつ行う。
【００１８】
全ての睫毛束Ｂをロッド１に巻き付けた後、図４に示すように==−１
この巻き付けた睫毛束Ｂにコールドパーマの第１液を刷毛３などを使用して塗布して約１０分間放置する（第５の工程）。その後、第１液を、綿棒４を使用してロッド１表面に押し付けるように睫毛Ｅの上から丁寧に拭き取る（第６の工程）。
【００１９】
同様にして、巻き付けた睫毛束Ｂにコールドパーマの第２液を塗布して約１０分間放置する（第７の工程）。その後、第２液を、新しい綿棒を使用してロッド表面に押し付けるように睫毛の上から丁寧に拭き取る（第８の工程）。
【００２０】
次に、ロッドを皮膚に接着するために付けている糊を外すために、クレンザー液を含ませた綿棒でロッドと皮膚の接着部を拭くことにより、瞼に付着した糊を溶解する溶解液を塗布する（第１０の工程）。
【００２１】
そして、ロッドを睫毛及び瞼から丁寧に取り除く（第９の工程）。
【００２２】
最後に、睫毛に付着している糊を取り除くために、水を含ませたコットンで睫毛を拭いていく。
【００２３】
この作業を左目の睫毛と右目の睫毛について行う。
【００２４】
以上の睫毛パーマの施術によって、睫毛数本が一束となって、一束一束のボリューム感のあるパーマが施術でき、しかもカール形状を瞼に接着したロッドによって規定するので正確かつバリエーションに富んだカール形状とすることができ、パーマ液の塗布や拭き取りも容易かつ迅速に行えるとともに塗布時にカール形状を崩すおそれも少なく、容易かつ迅速に安定した施術を行うことが可能である。また、ビューラを使用せず、無理に睫毛を引っ張ることもないので、睫毛の抜けのおそれも少ない。
【００２５】
本発明は上記実施例に限定されるものではなく、例えば、ロッドは、円筒状のスポンジ部材を使用してもよい。
【図面の簡単な説明】
【００２６】
【図１】本発明の一実施例の第１工程を示す簡略正面図並びに簡略側面図である。
【図２】同第２工程を示す簡略正面図である。
【図３】同第４工程を示す簡略正面図並びに簡略側面図である。
【図４】同第５工程を示す簡略正面図である。
【符号の説明】
【００２７】
１  ロッド
Ｅ  睫毛
Ｂ  睫毛束
【図１】
2005237628.tif 000003
【図２】
2005237628.tif 000004
【図３】
2005237628.tif 000005
【図４】
2005237628.tif 000006